(57)【特許請求の範囲】
【請求項１】
供給された紙テープがマンドレル表面にスパイラル状に巻き付けられ、送られることにより、紙管を形成することのできるスパイラル製造部と、
上記のように前方に送られる紙管の移動速度に同調して前方へ移動し、紙管の切断後に後方へ移動するテーブル部と、
テーブル部に設けられた、紙管を切断するためのカッターと、
マンドレルの前方側に設けられ、紙管切断時に上記のカッターが接触する軸である切断用芯部と、
少なくともテーブル部と切断用芯部とを、前後方向について連動するように連結する連動部材とを備え、
切断用芯部とテーブル部とは前後方向に往復運動するものであって、
テーブル部が前方へ移動する際に、カッターによる紙管の切断がなされるものであり、この切断時における切断用芯部とテーブル部との前方への移動が、上記紙管の移動と同一速度でなされる、紙管の製造装置において、
上記の連動部材は、上記マンドレル及び上記切断用芯部に対して平行に設けられた連動軸を備え、
上記連動軸に位置調整機構が設けられたものであり、
上記位置調整機構は、切断用芯部とテーブル部との間の位置をずらす作用部を備えたものであり、
これによって上記位置調整機構は、上記の連動動作とは別に切断用芯部とテーブル部とを相対的に移動させることにより、紙管を切断するためのカッターの刃先が切断用芯部の同一箇所に当たることのないように、切断用芯部とテーブル部との間の位置をずらすことができることを特徴とする、紙管の製造装置。
【請求項２】
上記マンドレルは筒状であり、前後方向への移動が不能であって、
このマンドレルを前後方向に貫くようにして、回動及び前後方向への移動が可能な連結棒が設けられたものであり、
上記の連動部材は、この連結棒に接続されており、
上記連動軸は、固定軸と、固定軸に対して回動可能に接続された回動軸とからなり、
上記位置調整機構は、調整用モーターと、伝達部と、上記作用部とを備えたものであって、
上記調整用モーターは、上記切断用芯部とテーブル部との相対的な移動のための駆動力を発するものであり、
上記伝達部は、上記の駆動力を作用部に伝達するものであり、
上記作用部は、固定軸と回動軸とのうち一方側に設けられた雄ねじと、各軸の他方側に設けられたものであり、上記雄ねじと螺合する雌ねじとを備えたものであることを特徴とする、請求項１に記載の紙管の製造装置。
【請求項３】
周期的に位置調整機構を作動させるための、運転時間を計測するためのタイマー、あるいは、累積回転数を計測するための回転センサーが設けられたことを特徴とする、請求項１または２に記載の紙管の製造装置。
【請求項４】
請求項１〜３のいずれかに記載の製造装置を用いた紙管の製造方法であって、
マンドレルの表面に、供給された紙テープをスパイラル状に巻き付けることにより紙管を形成し、この紙管を一定速度で前方に送る紙管製造工程、
テーブル部が紙管の移動と同一速度でなされ、テーブル部に設けられたカッターにより紙管が切断される切断工程、
切断工程により前方へ移動したテーブル部を後方へ移動させる工程を含む次回切断のための準備工程、
切断用芯部とテーブル部との間の位置をずらす位置変更工程を有し、
上記の紙管製造工程は、紙管の製造中において連続してなされるものであり、
上記の位置変更工程は、上記の準備工程中に実施されることを特徴とする、紙管の製造方法。
【発明の詳細な説明】
【技術分野】
【０００１】
本願発明は、紙管の製造装置及び製造方法に関するものである。
【背景技術】
【０００２】
【特許文献１】特公平７−８４７８号公報
【０００３】
紙管（特にスパイラル紙管）Ｐは、巻回装置１０１によって紙テープ（「スリット原紙」とも言う）Ｔが巻回されることにより、その軸方向に連続する長尺の管として製造される。そして、切断装置１０２によって所定長さに切断される。
【０００４】
従来、この切断装置１０２は、例えば特許文献１に示されたものがあり、図６に略示したように、丸鋸、丸ナイフ等からなるカッター１０３と、このカッター１０３を紙管Ｐの移動速度に同調させて移動させることのできるテーブル部１０４とを備えたものとされている。
【０００５】
この従来の切断装置１０２において、巻回装置１０１から送られた紙管Ｐは、軸状の切断用芯部１０５を覆うように配位され、その状態でカッター１０３により切断される。この際、切断用芯部１０５は回転しており、これと共に、紙管Ｐも回転する。そこで、紙管Ｐの表面からカッター１０３を押し当てることにより、紙管Ｐの全周にわたる切断が可能である。この際、カッター１０３は紙管Ｐの周壁を貫通し、切断用芯部１０５の表面に接触する。
【発明の開示】
【発明が解決しようとする課題】
【０００６】
ここで、上記のように、テーブル部１０４は紙管Ｐと同調して移動するものとされている。また、切断用芯部１０５もテーブル部１０４に対して連結部材１０６によって連結されたことから、テーブル部１０４と同調して移動するものとされている。よって、紙管Ｐの切断時において、切断用芯部１０５のカッター１０３が接触する位置は常に同じである。そのため、カッター１０３による切断用芯部１０５の損傷が一部に集中してしまい、切断用芯部１０５が早期に使用不能となるという問題を有している。
【０００７】
上記問題の対策として、カッター１０３の切断用芯部１０５に対して接触する位置をずらすことによって、上記の損傷箇所を分散させ、切断用芯部１０５の延命をはかることがなされてきた。これは、切断用芯部１０５の根元側、詳しくは、切断用芯部１０５と連動する、紙テープが巻きつけられる軸であるマンドレル１０７の根元に、ねじなどを備えた伸縮機構１０８を設けておき、この伸縮機構１０８を調整することにより、切断用芯部１０５とマンドレル１０７などを合わせた寸法を伸縮させ、切断用芯部１０５とカッター１０３との位置をずらせることができるものである。
【０００８】
しかし、この伸縮機構１０８の調整はいちいち手動で行わねばならず、手間のかかるものであった。しかも、製造装置を一度停止しなければこの調整を行うことができず、生産効率の低下を招いていた。
【０００９】
本願発明はこのことに鑑み、運転中であっても、自動でカッターの切断用芯部に対する接触位置をずらせることができ、連続運転が可能な紙管の製造装置及び、これを用いた紙管の製造方法を提供することを課題とする。
【課題を解決するための手段】
【００１０】
本願の請求項１に記載の発明は、供給された紙テープがマンドレル表面にスパイラル状に巻き付けられ、送られることにより、紙管を形成することのできるスパイラル製造部と、上記のように前方に送られる紙管の移動速度に同調して前方へ移動し、紙管の切断後に後方へ移動するテーブル部と、テーブル部に設けられた、紙管を切断するためのカッターと、マンドレルの前方側に設けられ、紙管切断時に上記のカッターが接触する軸である切断用芯部と、少なくともテーブル部と切断用芯部とを、前後方向について連動するように連結する連動部材とを備え、切断用芯部とテーブル部とは前後方向に往復運動するものであって、テーブル部が前方へ移動する際に、カッターによる紙管の切断がなされるものであり、この切断時における切断用芯部とテーブル部との前方への移動が、上記紙管の移動と同一速度でなされる、紙管の製造装置において、上記の連動部材は、上記マンドレル及び上記切断用芯部に対して平行に設けられた連動軸を備え、上記連動軸に位置調整機構が設けられたものであり、上記位置調整機構は、切断用芯部とテーブル部との間の位置をずらす作用部を備えたものであり、
これによって上記位置調整機構は、上記の連動動作とは別に切断用芯部とテーブル部とを相対的に移動させることにより、紙管を切断するためのカッターの刃先が切断用芯部の同一箇所に当たることのないように、切断用芯部とテーブル部との間の位置をずらすことができることを特徴とする、紙管の製造装置を提供する。
【００１１】
本願の請求項２に係る発明は、上記マンドレルは筒状であり、前後方向への移動が不能であって、このマンドレルを前後方向に貫くようにして、回動及び前後方向への移動が可能な連結棒が設けられたものであり、上記の連動部材は、この連結棒に接続されており、上記連動軸は、固定軸と、固定軸に対して回動可能に接続された回動軸とからなり、上記位置調整機構は、調整用モーターと、伝達部と、上記作用部とを備えたものであって、上記調整用モーターは、上記切断用芯部とテーブル部との相対的な移動のための駆動力を発するものであり、上記伝達部は、上記の駆動力を作用部に伝達するものであり、上記作用部は、固定軸と回動軸とのうち一方側に設けられた雄ねじと、各軸の他方側に設けられたものであり、上記雄ねじと螺合する雌ねじとを備えたものであることを特徴とする、請求項１に記載の紙管の製造装置を提供する。
【００１２】
また、本願の請求項３に記載の発明は、周期的に位置調整機構を作動させるための、運転時間を計測するためのタイマー、あるいは、累積回転数を計測するための回転センサーが設けられたことを特徴とする、請求項１または２に記載の紙管の製造装置を提供する。
【００１３】
また、本願の請求項４に記載の発明は、請求項１〜３のいずれかに記載の製造装置を用いた紙管の製造方法であって、マンドレルの表面に、供給された紙テープをスパイラル状に巻き付けることにより紙管を形成し、この紙管を一定速度で前方に送る紙管製造工程、
テーブル部が紙管の移動と同一速度でなされ、テーブル部に設けられたカッターにより紙管が切断される切断工程、切断工程により前方へ移動したテーブル部を後方へ移動させる工程を含む次回切断のための準備工程、切断用芯部とテーブル部との間の位置をずらす位置変更工程を有し、上記の紙管製造工程は、紙管の製造中において連続してなされるものであり、上記の準備工程は、テーブル部の後方への移動を含むものであり、上記の位置変更工程は、上記の準備工程中に実施されることを特徴とする、紙管の製造方法を提供する。
【発明の効果】
【００１４】
本願の請求項１または２に係る発明は、位置調整機構が設けられ、この位置調整機構が、装置の運転中、上記紙管の移動を停止させることなく、少なくともマンドレルとテーブル部との連動動作とは別に切断用芯部とテーブル部とを相対的に移動させることで、切断用芯部とテーブル部との間の位置をずらすことができる。これにより、自動でカッターの刃先が切断用芯部の同一箇所に当たることのない、連続運転が可能な紙管の製造装置を提供できたものである。
【００１５】
また、本願の請求項３に係る発明は、上記の効果に加え、周期的に位置調整機構を作動させるための、運転時間を計測するためのタイマー、あるいは、累積回転数を計測するための回転センサーが設けられたことにより、全く人手を要さずに、上記接触位置をずらせることができる、紙管の製造装置を提供できたものである。
【００１６】
また、本願の請求項４に係る発明は、位置調整機構が設けられた、請求項１〜３のいずれかに記載の製造装置を用いたことにより、この位置調整機構が、装置の運転中、上記紙管の移動を停止させることなく、少なくともマンドレルとテーブル部との連動動作とは別に切断用芯部とテーブル部とを相対的に移動させることで、切断用芯部とテーブル部との間の位置をずらすことができる。これにより、自動でカッターの刃先が切断用芯部の同一箇所に当たることのない、装置の連続運転が可能な紙管の製造方法を提供できたものである。
また、切断工程の準備をなす準備工程中に、切断用芯部とテーブル部との間の位置をずらす位置変更工程が実施されることから、切断工程における、カッターによる切断動作に、テーブル部の切断用芯部に対する位置のずれの影響が及ばないような紙管の製造方法を提供できたものである。
【発明を実施するための最良の形態】
【００１７】
以下、図面に基づき本願発明の実施の形態の一例をとりあげて説明する。図１は、本例に係る紙管の製造装置の概略を示す図であり、図３〜図５は、本例に係る紙管の製造装置の動作を示す図である。
なお、以下の説明における前後の表現は、紙管が形成されて製造装置内を後方から前方に移動するものとして表している。
【００１８】
本例における紙管の製造装置の概略は、図１（Ａ）に示すようなものであり、スパイラル製造部１と切断部２とを備えている。そして、これら各部を駆動するための駆動源であるメインモーター３が設けられている。ここでスパイラル製造部１は、紙テープを巻回することにより、紙管Ｐを形成する装置である。そして、切断部２は、スパイラル製造部１にて形成された紙管Ｐを任意の寸法に切断して製品として完成させるための装置である。また、メインモーター３の駆動力は、スパイラル製造部１と切断部２との下方に設けられたメイン駆動軸４へと伝達され、そこから更に各部に伝達される。伝達手段は、歯車、チェーン、ベルトなど種々の手段を採用できる。
【００１９】
上記のスパイラル製造部１は、マンドレル１１と基筒１２とを備えたものである。
マンドレル１１は、基筒１２により供給された紙テープがその表面に巻き付けられることにより、紙管Ｐを形成することのできる中空軸であって、回動及び前後方向への移動が不能とされている。そして、このマンドレル１１を前後方向に貫くようにして、回動及び前後方向への移動が可能な連結棒６が設けられている。また、連結棒６は、後端側に接続された第２連結軸７２から駆動力が伝達されることにより回転がなされる。なお、本例における第２連結軸７２は、メイン駆動軸４に対して連結されたチェーン４１によって駆動される。
【００２０】
基筒１２は、マンドレル１１の周囲に設けられた筒状体である。本例では、図示のように、紙管Ｐを挟むように３つの基筒１２が設けられている。この基筒１２間には、ベルト（図示省略、以下同じ）がかけ渡されたものであり、このベルトがマンドレル１１に巻きつけられている。そして、このベルトとマンドレル１１との間に紙テープを供給することにより、紙テープが一定の法則に従ってベルトからマンドレル１１に送り出され、マンドレル１１の表面に紙テープをスパイラル状に巻き付けていき、紙管Ｐを形成することができる。このようにして形成された紙管Ｐは、同じく基筒１２間のベルトにより、一定速度で前方に送られる。
なお、マンドレル１１に最初に巻きつけられる紙テープ、つまり、紙管Ｐの最内層を構成する紙テープは、表面にコーティングがなされることなどによって、マンドレル１１に対する摩擦が低減されたものとし、上記のように基筒１２及びベルトによる紙管の前方への移動がスムーズになされるものとすることが望ましい。
【００２１】
次に、切断部２は、テーブル部２１、カッター２２、切断用芯部２３を備えたものである。
テーブル部２１は、上記のように前方に送られる紙管Ｐの移動速度に同調して移動が可能とされた台座である。このテーブル部２１は、メインモーター３の回転が、メイン駆動軸４を経てクランク機構等の動力伝達機構５により前後方向への動きに変換されて伝達されることにより、前後方向に往復運動する。
【００２２】
カッター２２は、紙管Ｐを切断するためのものであって、テーブル部２１に設けられている。このため、前後方向についてはテーブル部２１と連動する。このカッター２２は、丸鋸や、丸ナイフ等からなり、切断用芯部２３に対して接近離反可能とされたアーム状の部材である支持部２４に設けられている。支持部２４は、図１（Ｂ）に示すように、メイン駆動軸４からの回転の伝達により回転するカム機構２５により、実線と破線で図示したように、上記の接近離反動作がなされる。紙管Ｐは、後述の切断用芯部２３と共に回転しながら前方へと送られるものであるため、支持部２４を切断用芯部２３上の紙管Ｐに接近させ、カッター２２の刃先を紙管Ｐの表面に接触させることで、紙管Ｐを周方向に切断することができる。製品が比較的短い長さの紙管Ｐである場合では、図１（Ａ）に示すように、複数のカッター２２が製品の寸法に一致した間隔で配位され、一度に複数箇所の切断が可能とされている。なお、支持部２４に対してカッター２２を取り付ける位置については変更可能とされており、製品の寸法に合わせて自在に調整が可能である。
【００２３】
切断用芯部２３は、マンドレル１１の前方側に設けられたものであり、紙管Ｐの切断時に上記のカッター２２の刃先が接触する軸である。本例では、図１（Ａ）に示すように、マンドレル１１の前方へと延ばされた連結棒６の更に前方に接続されたものであって、連結棒６と共に回転する。この切断用芯部２３は、カッター２２を受ける「下敷き」の役目を果たすものであり、少なくとも表面が樹脂で形成されている。そして、切断用芯部２３の表面とカッター２２とに挟まれた部分の紙管Ｐが切断される（図４参照）。
【００２４】
ここで、従来からの製造装置でも採用されていたように、マンドレル１１及び切断用芯部２３と、テーブル部２１とは連動部材７によって連結されており、前後方向について連動する。よって、マンドレル１１及び切断用芯部２３と、テーブル部２１とは前後方向に往復運動するものであって、少なくともこの往復運動中、前方への移動は、上記のように一定速度で前方へと送られている紙管Ｐの移動速度と一致する。よって、このようにテーブル部２１が前方へ移動する際にカッター２２による紙管Ｐの切断がなされることにより、正確に、周方向に紙管Ｐを切断することができる。一方、後方への移動は、カッター２２による紙管Ｐの切断動作のうち、先の動作と後の動作との間においてなされる。これにより、切断動作が繰り返してなされる。
【００２５】
上記の連動部材７は、前後方向に延びる第１連動軸７１と、マンドレル１１の後方に設けられた第２連動軸７２と、上下方向に配位されたものであり、第１連動軸７１と第２連動軸７２とを連結する上下連結体７３とからなる。
第１連動軸７１は、マンドレル１１、連結棒６、切断用芯部２３のそれぞれに平行に配位されたものであり、図１に示したように、上記それぞれの下方側に配位される。本例における第１連動軸７１は更に、固定軸７１ａと、固定軸７１ａに対して回動可能に接続された回動軸７１ｂとからなり、固定軸７１ａはテーブル部２１に固定されたものであって、回動軸７１ｂは固定軸７１ａの図示右方の延長線上に配位されている。
【００２６】
第２連動軸７２は、連結棒６の後方であって、同一軸上に設けられた軸であり、メイン駆動軸４からこの第２駆動軸７２に駆動力が伝達されて回転し、この回転が、連結棒６、切断用芯部２３の順に伝達される。なお、第２連動軸７２と連結棒６との間は接続ねじ７２ａにより接続されており、メンテナンス時などには両者間を分離することができる。
【００２７】
上下連結体７３は、第１連動軸７１と第２連動軸７２との各後端を連結するものである。これにより、第１連動軸７１と第２連動軸７２とが前後方向に連動する。なお、図示はしていないが、この上下連結体７３と第１連動軸７１及び第２連動軸７２との間には、ロータリーボールスプラインが挿入されており、第１連動軸７１のうち後述する回動軸７１ｂと第２連動軸７２とが各々別個に回動可能とされている。
【００２８】
ここで、本願発明においては、第１連動軸７１に位置調整機構８が設けられている。この位置調整機構８は、上記の連動部材７による連動動作とは別に切断用芯部２３とテーブル部２１とを相対的に移動させることで、紙管Ｐを切断するためのカッター２２の刃先が切断用芯部２３の同一箇所に当たることのないように、切断用芯部２３とテーブル部２１との間の位置をずらすことのできるものである。この動作は、カッター２２による紙管Ｐの切断動作のうち、先の動作と後の動作との間において、テーブル部２１が後方へ移動する最中になされ、カッター２２による切断動作に、このずれの影響が及ばないようにすることが望ましい。
【００２９】
この位置調整機構８は、本例では、調整用モーター８１と、伝達部８２と、作用部８３とを備えたものである。調整用モーター８１は、上記切断用芯部２３とテーブル部２１との相対的移動のための駆動力を発するものであり、本例では、ブレーキ付ギヤードモータが用いられている。伝達部８２は、上記の駆動力を作用部８３に伝達するものであり、本例では調整用モーター８１の駆動軸及び第１連動軸７１のうちの回動軸７１ｂに設けられたスプロケット及び各スプロケットに掛けられたチェーンとからなる。作用部８３は、実際に上記のずれが発生する部分であり、本例の場合、図１（Ｃ）に示すように、固定軸７１ａに設けられた雄ねじと、回動軸７１ｂに設けられたものであり、上記雄ねじと螺合する雌ねじからなる。なお、これらのねじは台形ねじとして形成されている。
【００３０】
調整用モーター８１の駆動時には、駆動力が伝達部８２を経由して作用部８３に伝えられ、これにより回動軸７１ｂが回転する。ここで、固定軸７１ａはテーブル部２１に固定されているため、固定軸７１ａに対し、回動軸７１ｂだけが回転する。よって、上記のねじが締め込まれたり緩められたりして、第１連動軸７１が伸縮する。これにより、テーブル部２１に取り付けられたカッター２２の位置と、切断用芯部２３の位置とにずれを生じさせることができる。このずれの大きさは、調整用モーター８１の駆動時間の設定により、自由に調整が可能である。なお、この例では、前述のように、動力伝達機構５により前後方向へ移動可能に配位されたテーブル部２１を基点として、テーブル部２１に固定軸７１ａが接続されているため、上記のねじの回動によって、見かけ上は、切断用芯部２３側が移動するように見えるが、テーブル部２１と切断用芯部２３とが相対的に前後に移動するようにすればよく、いずれか移動するものであってもよく、双方が移動するものであってもよい。また固定軸７１ａと回動軸７１ｂの位置関係は逆であってもよい。
【００３１】
この位置調整機構８は、本例においては、図１（Ａ）に示すように、第１連動軸７１の図示右端側に設けられたものであるが、例えば図２に示すように作用部８３のみを第１連動軸７１の図示左端側に設けるなど、第１連動軸７１中、具体的にはテーブル部２１と上下連結体７３との間であればいずれの位置に設けられたものとしても良い。更には、位置調整機構８を第２連動軸７２に設けることも可能である。また、本願発明における連動部材７は、テーブル部２１と切断用芯部２３とを、前後方向について連動するように連結する部材と定義していることより、連結棒６もまた、連動部材７の一部であると解釈でき、その場合にあっては、連結棒６に位置調整機構８を設けても良い。
【００３２】
また、上記の調整用モーター８１の駆動は、製造装置の運転中、停止中いずれの場合であっても行うことができる。そのため、従来のように、伸縮機構の調整を行うために製造装置を必ず停止させて、手動で作業を行う必要がないため、生産効率を低下させることがない。
【００３３】
なお、この調整用モーター８１の駆動は、製造装置のオペレーターが随時ボタン操作を手動でなすことにより行っても良いが、一定周期毎の自動制御により行っても良い。本例では、タイマーを設けておき、製造装置の運転時間を計測し、あらかじめ設定された時間毎に調整用モーター８１の駆動を自動的に行うものとしているが、その他に、例えばメインモーター３、メイン駆動軸４、連結棒６、切断用芯部２３などの累積回転数を計測するための回転センサーを設けておき、この累積回転数があらかじめ設定された値を超える毎に調整用モーター８１の駆動を自動的に行うものとしても良い。また、切断用芯部２３の傷み具合を光学的あるいは電気的に感知するセンサーを用いても良く、種々の手段での自動制御が可能である。
【００３４】
次に、本例に係る紙管の製造装置の動作について説明する。
まず、図３に示すように、供給された紙テープが基筒１２及びベルトによりマンドレル１１の表面にスパイラル状に巻き付けられることによって形成された紙管Ｐは、一定速度で前方に送られ、切断用芯部２３を覆う。この、マンドレル１１の表面に、供給された紙テープをスパイラル状に巻き付けることにより紙管Ｐを形成し、この紙管Ｐを一定速度で前方に送る工程を紙管製造工程と称する。この紙管製造工程は、装置の運転中において連続してなされる。
【００３５】
次に、図４に示すように、テーブル部２１が紙管Ｐの移動速度に同調して前進する。この際、連動部材７により切断用芯部２３もテーブル部２１と同調して前進する。また、この際、カッター２２の刃先が切断用芯部２３上の紙管Ｐに接触して、紙管Ｐを切断する。この、紙管Ｐの移動と同一速度でなされる、テーブル部２１に設けられたカッター２２により紙管Ｐが切断される工程を切断工程と称する。
【００３６】
次に、図５に示すように、カッター２２が紙管Ｐから離れると共に、テーブル部２１は図３に示す当初の位置へと後退する。この際、上記と同様に切断用芯部２３もテーブル部２１と同調して後退する。この、次回切断工程の準備をなす工程を準備工程と称する。この準備工程は、上記のようにテーブル部２１の後退動作を含むものである。
【００３７】
上記準備工程の最中において、必要により、位置調整機構８が作動すると、カッター２２と切断用芯部２３との間にずれが生じ、ずれが生じる前後における、切断用芯部２３のカッター２２と接触する位置を異なるものとでき、切断用芯部２３を延命することが可能となる。この、切断用芯部２３とテーブル部２１との間の位置をずらす工程を位置変更工程と称する。
【００３８】
上記のように、位置変更工程は、上記の準備工程中、テーブル部２１の後退動作中に行われてもよく、後退動作開始前であってもよく、後退動作完了後に行われてもよいものであってもよいが、いずれの場合でも上記の準備工程中に実施されるものとし、切断工程中に行わないことによって、切断工程における、カッター２２による紙管Ｐの切断動作に、テーブル部２１の切断用芯部２３に対する位置のずれの影響が及ぶことがない。
【図面の簡単な説明】
【００３９】
【図１】（Ａ）は本例に係る紙管の製造装置の概略を示す図であり、（Ｂ）はカッターの動作を示す図であり、（Ｃ）は位置調整機構の伝達部を示す要部断面図である。
【図２】本願発明の他の実施例に係る紙管の製造装置の概略を示す図である。
【図３】本例に係る紙管の製造装置の動作を示す図であり、紙管が前方へと送られる様子を示す。
【図４】本例に係る紙管の製造装置の動作を示す図であり、紙管がカッターによって切断される様子を示す。
【図５】本例に係る紙管の製造装置の動作を示す図であり、紙管の切断直後の様子を示す。
【図６】従来の紙管の製造装置を示す概略図である。
【符号の説明】
【００４０】
１      スパイラル製造部
１１    マンドレル
２１    テーブル部
２２    カッター
２３    切断用芯部
６      連結棒
７      連動部材
７１    連動軸、第１連動軸
７１ａ  固定軸
７１ｂ  回動軸
８      位置調整機構
８１    調整用モーター
８２    伝達部
８３    作用部
Ｐ      紙管
【図１】
0004616742.tif 000002
【図２】
0004616742.tif 000003
【図３】
0004616742.tif 000004
【図４】
0004616742.tif 000005
【図５】
0004616742.tif 000006
【図６】
0004616742.tif 000007